(57)【特許請求の範囲】
【請求項１】
土留め壁に傾斜計やひずみゲージを配置して計測点を設定し、前記土留め壁の変形形状を、３次元座標空間上であらかじめ設定した関数を使って評価するようにした土留め壁の変形計測方法であって、前記関数が多項式を使ったスプライン関数であり、前記土留め壁の変形形状を曲面として扱い、前記土留め壁の曲面の形状がｆ (ｘ，ｙ) ＝ｚ，近似関数の定義がｆ (ｘ，ｙ) ＝Σｃ・Ｎ (ｘ) ・Ｎ (ｙ) である土留め壁の変形計測方法であって、前記関数の形状を定める際に、前記土留め壁の曲面の形状の１回微分値、前記土留め壁の曲面の形状の２回微分値を活用し、前記土留め壁の曲面の勾配および曲率の拘束条件として傾斜角およびひずみを活用することを特徴とする土留め壁の変形計測方法。ここで、ｃは土留め壁の変形によって決まる定数、Ｎ（ｘ）は土留め壁のｘ軸方向の曲面の形状、Ｎ（ｙ）は土留め壁のｙ軸方向の曲面の形状を示している。
【請求項２】
請求項１記載の土留め壁の変形計測方法において、前記傾斜角がｄｆ (ｘ，ｙ) ／ｄｙ＝−ｔａｎθ、前記ひずみが土留め壁の曲げ変形によって生じるものとしてｄ2 ｆ (ｘ，ｙ) ／ｄｘ2 ＝− (２ε) ／ｔであり、前記傾斜とひずみの計測値を変位に換算することなく取り扱うことを特徴とする土留め壁の変形計測方法。ここで、εはひずみ、ｔは土留め壁の板厚である。
【発明の詳細な説明】
【技術分野】
【０００１】
本発明は、土留め壁の変形計測方法に係り、特に、変形評価の誤差を小さくすることができる土留め壁の変形計測方法に関するものである。
【背景技術】
【０００２】
従来、地下トンネルやビルの地下フロアなどを構築する際には掘削工事が行われる。図４はかかる従来の掘削工事の状況を示す図面代用写真である。掘削工事を行うためには、まず、土留め壁の設計を行い、発生する変形や応力を照査するが、設計を行う際には工学的な割り切り等があるため、不確実な点が多い。また、都市部などでは、既設の建物や構造物に非常に近接した箇所で施工を行うことも多い。
【０００３】
こういった背景を踏まえ、実際に掘削工事を行う際には、土留め壁の状態監視を行いながら施工を行うが、特に、土留め壁の変形を把握することが最も重要であると考えられている。
【０００４】
しかしながら、従来の土留め壁の変形計測管理手法では、代表断面を選定してそこのみを計測するものであったり、或いは横断的な計測を行おうとしても現場条件によって極限られた一部でしか実施できなかったりと、土留め壁の変形を全体として捉えることが難しかった。
【０００５】
そこで、新たに計測データを３次元的に解析・表示できるシステムが構築され、傾斜計やひずみゲージ・光ファイバー等を活用して傾斜角やひずみについてのデータを測定し、そのデータ処理を効果的に行うことにより、計測器配置の自由度を高め、更には計測精度の向上につなげることが期待されている。
【先行技術文献】
【特許文献】
【０００６】
【特許文献１】特願２００９−２５１９６８
【発明の概要】
【発明が解決しようとする課題】
【０００７】
上記した土留め壁の変形挙動を評価する方法として、具体的には下記の２種類の方法が考えられる。
【０００８】
図５は従来のトータルステーションによる土留め壁の計測方法を示す模式図である。
【０００９】
これは、直接的に変位を計測する方法であり、土留め壁１０１のあらかじめ定めたターゲット１０２を遠隔計測器１０３によって測量する方法である。
【００１０】
しかしながら、この方法においては、離れた点からターゲット１０２を捉えることとなるため、現場の条件によってはデータの欠損が生じたり、地中深い部分においては施工前から計測を行うことが難しい。
【００１１】
図６は従来の傾斜角を変位へ換算する方法を示す説明図である。
【００１２】
これは変位ではなく、傾斜を計測する間接的方法であり、現状では最も広く用いられている。
【００１３】
この方法では、土留め壁の施工時に、土留め壁２０１内の鉛直方向に傾斜計２０２を多数設置し、この傾斜計２０２で得られた傾斜角θと傾斜計２０２の間隔を活用して、変位を求める方法である。なお、図６において、２０３は別の機器で計測した既知の変位を示している。
【００１４】
〔区間変位（ｍｍ）〕  Δｕ＝θ・Ｌ
〔累計変位（ｍｍ）〕  ｕ＝ΣΔｕ
ここで、ｕ：変位 (ｍｍ) , θ：傾斜角，Δｕ：区間変位 (ｍｍ) ，Ｌ：区間距離である。
【００１５】
しかしながら、この方法では、傾斜計を同一ライン上に配置しなければならず、また、傾斜計２０２の設置の間隔が密でないと得られる変位の誤差が大きくなる。
【００１６】
さらに、ひずみ計測などの方法も考えられるが、この計測値をそのまま土留め壁の変位として解釈するのは難しい。
【００１７】
本発明は、上記状況に鑑みて、変形評価の誤差を小さくすることができる、土留め壁の変形計測方法を提供することを目的とする。
【課題を解決するための手段】
【００１８】
本発明は、上記目的を達成するために、
〔１〕土留め壁の変形計測方法において、土留め壁に傾斜計やひずみゲージを配置して計測点を設定し、前記土留め壁の変形形状を、３次元座標空間上であらかじめ設定した関数を使って評価するようにした土留め壁の変形計測方法であって、前記関数が多項式を使ったスプライン関数であり、前記土留め壁の変形形状を曲面として扱い、前記土留め壁の曲面の形状がｆ (ｘ，ｙ) ＝ｚ，近似関数の定義がｆ (ｘ，ｙ) ＝Σｃ・Ｎ (ｘ) ・Ｎ (ｙ) である土留め壁の変形計測方法であって、前記関数の形状を定める際に、前記土留め壁の曲面の形状の１回微分値、前記土留め壁の曲面の形状の２回微分値を活用し、前記土留め壁の曲面の勾配および曲率の拘束条件として傾斜角およびひずみを活用することを特徴とする。ここで、ｃは土留め壁の変形によって決まる定数、Ｎ（ｘ）は土留め壁のｘ軸方向の曲面の形状、Ｎ（ｙ）は土留め壁のｙ軸方向の曲面の形状を示している。  〔２〕上記〔１〕記載の土留め壁の変形計測方法において、前記傾斜角がｄｆ (ｘ，ｙ) ／ｄｙ＝−ｔａｎθ、前記ひずみが土留め壁の曲げ変形によって生じるものとしてｄ2 ｆ (ｘ，ｙ) ／ｄｘ2 ＝− (２ε) ／ｔであり、前記傾斜とひずみの計測値を変位に換算することなく取り扱うことを特徴とする土留め壁の変形計測方法。ここで、εはひずみ、ｔは土留め壁の板厚である。
【発明の効果】
【００１９】
本発明によれば、次のような効果を奏することができる。
【００２０】
(１) 傾斜やひずみデータを変位に換算することなく直接取り扱うことができるため、従来に比べて変形評価の誤差を小さくすることができる。
【００２１】
(２) 傾斜・ひずみといった異種データを組み合わせて土留め壁の変形の評価に活用することができる。
【００２２】
(３) 傾斜計やひずみゲージ、光ファイバなとの測点を必ずしも同一ライン上に配置させなくてもよい。
【図面の簡単な説明】
【００２３】
【図１】本発明の実施例を示す土留め壁の３次元的な変形の表記を示す模式図である。
【図２】本発明の実施例を示す土留め壁の計測器・計測点の配置例を示す図である。
【図３】本発明の実施例を示す土留め壁の測定結果の可視化を示す図面代用写真である。
【図４】従来の掘削工事の状況を示す図面代用写真である。
【図５】従来のトータルステーションによる土留め壁の計測方法を示す模式図である。
【図６】従来の傾斜角を変位へ換算する方法を示す説明図である。
【発明を実施するための形態】
【００２４】
本発明の土留め壁の変形計測方法は、土留め壁に傾斜計やひずみゲージを配置して計測点を設定し、前記土留め壁の変形形状を、３次元座標空間上であらかじめ設定した関数を使って評価するようにした土留め壁の変形計測方法であって、前記関数が多項式を使ったスプライン関数であり、前記土留め壁の変形形状を曲面として扱い、前記土留め壁の曲面の形状がｆ (ｘ，ｙ) ＝ｚ，近似関数の定義がｆ (ｘ，ｙ) ＝Σｃ・Ｎ (ｘ) ・Ｎ (ｙ) である土留め壁の変形計測方法であって、前記関数の形状を定める際に、前記土留め壁の曲面の形状の１回微分値、前記土留め壁の曲面の形状の２回微分値を活用し、前記土留め壁の曲面の勾配および曲率の拘束条件として傾斜角およびひずみを活用することを特徴とする。ここで、ｃは土留め壁の変形によって決まる定数、Ｎ（ｘ）は土留め壁のｘ軸方向の曲面の形状、Ｎ（ｙ）は土留め壁のｙ軸方向の曲面の形状を示している。
【実施例】
【００２５】
以下、本発明の実施の形態について詳細に説明する。
【００２６】
本発明では、土留め壁の変形形状を、３次元座標空間上であらかじめ設定した関数を使って表現する。
【００２７】
図１は本発明の実施例を示す土留め壁の３次元的な変形の表記を示す模式図である。
【００２８】
この図において、１は変形のない土留め壁、２は３次元的な変形をした土留め壁、３はその３次元的な変形をした土留め壁２の曲面を示している。
【００２９】
ここでは、土留め壁の変形形状を、３次元座標空間（ｘ，ｙ，ｚ）上であらかじめ設定した関数を使って表現する。具体的な関数形としては，スプライン関数などの多項式を使って表現する。なお、ここでは、土留め壁の変形を土留め壁の断面ごとに捉えるのではなく、面的に捉えることを想定し、変形形状を曲面３として扱うものとする。
【００３０】
〔曲面の形状〕ｆ (ｘ，ｙ) ＝ｚ
〔近似関数の定義〕ｆ (ｘ，ｙ) ＝Σｃ・Ｎ (ｘ) ・Ｎ (ｙ) 
ここで、ｃは土留め壁の変形によって決まる定数、Ｎ（ｘ）は土留め壁のｘ軸方向の曲面の形状、Ｎ（ｙ）は土留め壁のｙ軸方向の曲面の形状を示している。
この関数の形状を定める際に、１回微分値、２回微分値を活用し、曲面の勾配および曲率の拘束条件として傾斜角およびひずみを活用する。
【００３１】
〔傾斜角〕ｄｆ (ｘ，ｙ) ／ｄｙ＝−ｔａｎθ
〔ひずみ〕ｄ2 ｆ (ｘ，ｙ) ／ｄｘ2 ＝− (２ε) ／ｔ
ここで、εはひずみ、ｔは土留め壁の板厚である。
【００３２】
この方法では、傾斜・ひずみの計測値を変位に換算することなく取り扱うことができる。
【００３３】
図２は本発明の実施例を示す土留め壁の計測器・計測点の配置例を示す図、図３はその土留め壁の測定結果の可視化を示す図面代用写真である。
【００３４】
これらの図において、１１は土留め壁、１２はＴＳ（トータルステーション）の測量ターゲット、１３は傾斜計やひずみゲージ１３、１４は色が濃く示された部分である。
【００３５】
これらの図に示すように、土留め壁１１には、施工前あるいは施工時にＴＳ（トータルステーション）の測量ターゲット１２、傾斜角やひずみゲージ１３を計測点に配置し、傾斜やひずみを計測できるようにしている。
【００３６】
そこで得られた傾斜・ひずみの計測値を、変位に換算することなく、土留め壁のスプライン関数などの多項式を使って表現し、変形形状を曲面として扱い計測する。
【００３７】
図３に示されるように、計測された土留め壁の変形形状は可視化ツール等を使って可視化される。図３では土留め壁１１の色が濃く示された部分１４は前方に大きく変形していることが把握できる。
【００３８】
計測点を設定する際には、重点的な管理が必要な場所に傾斜計やひずみゲージ、光ファイバーを追加し、土留め壁の変形挙動の評価の精度を向上させることができる。
【００３９】
なお、本発明は上記実施例に限定されるものではなく、本発明の趣旨に基づき種々の変形が可能であり、これらを本発明の範囲から排除するものではない。
【産業上の利用可能性】
【００４０】
本発明の土留め壁の変形計測方法は、変形評価の誤差を小さくすることができる、土留め壁の変形計測方法として利用可能である。
【符号の説明】
【００４１】
１    変形のない土留め壁
２    ３次元的な変形をした土留め壁
３    土留め壁の曲面
１１    土留め壁
１２    ＴＳ（トータルステーション）の測量ターゲット
１３    傾斜計やひずみゲージ
１４    色が濃く示された部分
【図１】
0005755509.tif 000002
【図２】
0005755509.tif 000003
【図３】
0005755509.tif 000004
【図４】
0005755509.tif 000005
【図５】
0005755509.tif 000006
【図６】
0005755509.tif 000007